(57)【要約】【課題】本考案は、栞の舌部と舌部以外の部分との間に、書籍及び書類等の紙片を挟み込んだ際、栞により、書籍及び書類等の紙片が切れる等の破損を生ずることがなく、かつ、栞が、書籍及び書類等の紙片に沿って移動して、書籍及び書類等から脱落することがない新規な栞を提供する。【解決手段】本考案は、任意の形状を有する可撓性薄板の表面に連続する切り込み線を入れて舌部を形成し、かつ該舌部と舌部以外の部分との間に紙片を挟み込むことによる栞であって、該舌部の連続する切り込み線の両端部を中心として、該切り込み線の一部分を一辺とする略扇形の小穴部分を有することを特徴とする栞である。【選択図】図１
0003165436.tif 000002
【実用新案登録請求の範囲】
【請求項１】
任意の形状を有する可撓性薄板の表面に連続する切り込み線を入れて舌部を形成し、かつ該舌部と舌部以外の部分との間に紙片を挟み込むことによる栞であって、該舌部の連続する切り込み線の両端部を中心として、該切り込み線の一部分を一辺とする略扇形の小穴部分を有することを特徴とする栞。
【請求項２】
上記の略扇形が、連続する切り込み線の両端部を結ぶ直線と該切り込み線との間に、これらの線を２辺として形成され、かつ、上記の略扇形が、上記の舌部の外側に設けられている、請求項１記載の栞。
【請求項３】
上記の略扇形の半径が１．０〜３．０ｍｍである、請求項１記載の栞。
【考案の詳細な説明】
【技術分野】
【０００１】
本考案は、栞（しおり）に関し、更に詳しくは、書籍及び書類等の紙片に挟み込み、所要の頁の見出しとするばかりではなく、その頁の所要の行を指示することもできる栞に関するものである。
【背景技術】
【０００２】
従来、栞として種々のものが考案されてきた。例えば、特許文献１には、長辺が短辺に対して十分長い長方形の弾性薄片を基体とし、該基体に、その一端部から他端部まで延び、かつ先端部を矢印とした舌片を切抜き形成したことを特徴とする栞が開示されている。また、その好ましい態様として、その舌片の両端部に小円形の切り込みを有する栞、及び、舌片の周囲、とりわけ、両端部に近い部分において切込みにある程度の幅を持たせた栞が開示されている。特許文献２には、可撓性のあるベース部材に曲率のある切込みを入れたことを特徴とするクリップ栞が開示されている。また、その好ましい態様として、前記切込みの端部に小円形の応力集中防止部が設けられている栞、及び、舌片の周囲の切込みにある程度の幅を持たせた栞が開示されている。
【先行技術文献】
【特許文献】
【０００３】
【特許文献１】昭和５７年１０月１４日出願の考案の名称を「栞」とする実用新案登録出願
【特許文献２】特開平５−３４５４９１号公報
【考案の概要】
【考案が解決しようとする課題】
【０００４】
本考案は、栞の舌部と舌部以外の部分との間に、書籍及び書類等の紙片を挟み込んだ際、栞により、書籍及び書類等の紙片が切れる等の破損を生ずることがなく、かつ、栞が、書籍及び書類等の紙片に沿って移動し、かつ書籍及び書類等から脱落することがない新規な栞を提供するものである。
【課題を解決するための手段】
【０００５】
例えば、上記の特許文献１及び２に記載されている、切り込み線の両端部に小円形部分を有さない栞では、書籍及び書類等の紙片を挟み込むと紙片をしっかりと抑えることができるが、その一方、該栞では、切込み線の端部により紙片を破損してしまうという問題を有していた。一方、特許文献１及び２に記載されている好ましい態様である、端部に小円形部分を有する栞、及び、切込みにある程度の幅を持たせた栞では、紙片を破損するという問題をある程度は解決することはできるが十分ではなく、その一方、紙片をしっかりと抑えることができず、書籍及び書類等を移動する際に、栞が紙片に沿って移動し、かつ書籍及び書類等から脱落するという問題を有していた。そこで、本考案者は、これらの問題を解決すべく種々検討した。その結果、このような小円形に代えて、略扇形の形状を有する小穴部分を切り込み線の両端部に設けると、上記課題の全てを解決し得ることを見出して、本考案を完成するに至った。加えて、好ましくは、従来の小円形の半径より１．５〜３倍程度大きい半径を有する扇形にすると、書籍及び書類等の紙片を破損する頻度を著しく減少し得ることも見出した。
【０００６】
即ち、本考案は、
（１）任意の形状を有する可撓性薄板の表面に連続する切り込み線を入れて舌部を形成し、かつ該舌部と舌部以外の部分との間に紙片を挟み込むことによる栞であって、該舌部の連続する切り込み線の両端部を中心として、該切り込み線の一部分を一辺とする略扇形の小穴部分を有することを特徴とする栞である。
【０００７】
好ましい態様として、
（２）上記の略扇形の半径が１．０〜３．０ｍｍである、上記（１）記載の栞、
（３）上記の略扇形の半径が１．２〜２．５ｍｍである、上記（１）記載の栞、
（４）上記の略扇形の半径が１．５〜２．０ｍｍである、上記（１）記載の栞、
（５）上記の略扇形が、連続する切り込み線の両端部を結ぶ直線と該切り込み線との間に、これらの線を２辺として形成され、かつ、上記の略扇形が、上記の舌部の外側に設けられている、上記（１）〜（４）のいずれか一つに記載の栞、
（６）上記の可撓性薄板の形状が、長方形、正方形、円形、楕円形、動物の顔の形、及び、花の形より成る群から選ばれる、上記（１）〜（５）のいずれか一つに記載の栞、
（７）上記の可撓性薄板の形状が長方形である、上記（１）〜（５）のいずれか一つに記載の栞、
（８）上記の舌部の形状が、先端が矢印状の形状である、上記（１）〜（７）のいずれか一つに記載の栞、
（９）上記の可撓性薄板の舌部が延びる方向の長さが、３〜１２ｃｍである、上記（１）〜（８）のいずれか一つに記載の栞、
（１０）上記の可撓性薄板の舌部が延びる方向の長さが、５〜９ｃｍである、上記（１）〜（８）のいずれか一つに記載の栞、
（１１）上記の可撓性薄板の舌部が延びる方向の長さが、６〜８ｃｍである、上記（１）〜（８）のいずれか一つに記載の栞、
（１２）上記の可撓性薄板の厚さが、０．０５〜１．００ｍｍである、上記（１）〜（１１）のいずれか一つに記載の栞、
（１３）上記の可撓性薄板の厚さが、０．１０〜０．８０ｍｍである、上記（１）〜（１１）のいずれか一つに記載の栞、
（１４）上記の可撓性薄板の厚さが、０．３０〜０．６０ｍｍである、上記（１）〜（１１）のいずれか一つに記載の栞、
（１５）上記の可撓性薄板の材質が、紙、プラスチック、金属、及びこれらの組み合わせから選ばれる上記（１）〜（１４）のいずれか一つに記載の栞
を挙げることができる。
【考案の効果】
【０００８】
本考案の栞は、舌部を形成する切り込み線の両端部に略扇形の小穴部分を有し、かつ、好ましくは、この略扇形の半径が、従来の小円形の半径より１．５〜３倍程度大きい。従って、舌部と舌部以外の部分との間に書籍及び書類等の紙片を挟み込んだ際、栞によりこれら紙片が切れる等の破損を生ずることが殆どなく、かつ、栞がこれら紙片に沿って移動し、かつ書籍及び書類等から脱落することも殆どない。
【図面の簡単な説明】
【０００９】
【図１】図１は、本考案の栞の一実施態様を示した説明図である。（実施例１）
【図２】図２は、従来の栞の一実施態様を示した説明図である。（比較例１）
【図３】図３は、従来の栞の一実施態様を示した説明図である。（比較例２）
【考案を実施するための形態】
【００１０】
本考案は、任意の形状を有する可撓性薄板の表面に連続する切り込み線を入れて舌部を形成し、かつ該舌部と舌部以外の部分との間に、書籍及び書類等の紙片を挟み込むことによる栞に関する。該舌部の連続する切り込み線は、その両端部に、該両端部を中心として該切り込み線の一部分を一辺とする略扇形の小穴部分を有する。小穴部分を形成する略扇形の半径は、従来の栞、例えば、特許文献１及び２に記載された栞の切り込み線の両端部に備えられている小円の半径より１．５〜３倍程度大きいことが好ましい。略扇形の半径の上限は、好ましくは３．０ｍｍ、より好ましくは２．５ｍｍ、更に好ましくは２．０ｍｍであり、下限は、好ましくは１．０ｍｍ、より好ましくは１．２ｍｍ、更に好ましくは１．５ｍｍである。上記上限を超えては、書籍及び書類等を持ち運びする際に、栞が紙片に沿って移動して書籍及び書類等から脱落することがある。一方、上記下限未満では、切込み線の両端部により紙片を破損することがある。該略扇形の小穴は、連続する切り込み線の両端部を結ぶ直線と該切り込み線との間に、これらの線を扇形の２辺として形成され、かつ、上記の略扇形が、上記の舌部の外側に設けられる。
【００１１】
可撓性薄板の形状は、栞として使用し得るものであるなら、特に制限はない。好ましくは、長方形、正方形、円形、楕円形、動物の顔の形、例えば、象の顔の形、及び、花の形より成る群から選ばれる。子供用に用いる際には、円形、動物の顔の形、及び、花の形等が好ましい。一般的には、長方形が好ましく使用される。また、可撓性薄板に設けられる舌部の形状としては、栞として、書籍及び書類等の紙片を舌部と舌部以外の部分との間に挟み込める形状であれば、特に制限はない。一般的には、先端が矢印の形状であるものが好ましい。これにより、栞を挟み込んだ頁の所要の行を指示することが可能である。子供、例えば、低学年児童等に使用するに際して、可撓性薄板に設けられた舌部と舌部以外の部分に、例えば、矢印形状のように鋭角部位が存在すると、その部位が爪と皮膚との間に入り込んだりして怪我をするなど安全性に問題からあることから、このような鋭角部位には丸みをもたせることが好ましい。これにより子供の怪我を防止し安全性を高めることができる。先端が矢印の形状以外の舌部を有する栞では、舌部の表面に矢印マークを印刷又は書き込むことにより、上記と同様に栞を挟み込んだ頁の所要の行を指示することが可能となる。
【００１２】
可撓性薄板の寸法は、種々の書籍及び書類等に栞として使用できるものであればよく、書籍及び書類等の寸法に依存して決定することができる。可撓性薄板の舌部が延びる方向の長さは、上限が好ましくは１２ｃｍ、より好ましくは９ｃｍ、更に好ましくは８ｃｍであり、下限が好ましくは３ｃｍ、より好ましくは５ｃｍ、更に好ましくは６ｃｍである。舌部の長さは、上記可撓性薄板の長さに応じて、適宜定めることができる。また、可撓性薄板の厚さは、その材質に依存するが、上限が、好ましくは１．００ｍｍ、より好ましくは０．８０ｍｍ、更に好ましくは０．６０ｍｍであり、下限が、好ましくは０．０５ｍｍ、より好ましくは０．１０ｍｍ、更に好ましくは０．３０ｍｍである。可撓性薄板の材質としては、可撓性、弾性を確保し得るものであればよく、例えば、紙、プラスチック、金属、好ましくは非鉄金属等、及び、これらの組み合わせが挙げられる。可撓性薄板が長方形の場合には、その短辺と長辺の長さの比が１対３程度であることが好ましい。
【００１３】
以下の実施例において、本考案を更に詳細に説明するが、本考案はこれら実施例により限定されるものではない。
【００１４】
（実施例１）
可撓性薄板として、長辺が７．０ｃｍ、短辺が２．５ｃｍ、かつ厚さが０．１ｍｍのプラスチック製の薄板を準備した。該可撓性薄板の表面に連続する切り込み線（３）を入れて舌部（１）を形成し、かつ、切り込み線の両端部（５）を中心として略扇形の小穴部分（４）を設けた。舌部は先端が矢印形状のものであり、その長さが５．０ｃｍ、切り込み線の両末端の幅が１．４ｃｍ、矢印部分の最大幅が１．５ｃｍであり、かつ、略扇形の半径が１．５ｍｍであった。作製した栞（Ａ）を図１に示した。
【００１５】
性能試験は、任意に抽出した１０人の大人を対象として、夫々、任意の書籍の紙片に、上記の栞を挟み込むことにより実施した。書籍の移動及び保管状態は各人の自由に任せ、５日間の使用により、書籍の紙片の破損状況、並びに、書籍からの栞の脱落及び移動状況を調査した。その結果、１０人全員に関して紙片の破損が見られず、かつ、１０人中９人に書籍からの栞の脱落及び移動が見られないという結果が得られた。
【００１６】
（比較例１）
切り込み線の両端部に略扇形の小穴部分を設けなかったこと以外は、実施例１と同一にして試験した。作製した栞（Ｂ）を図２に示した。その結果、１０人中７人に紙片の破損が見られ、かつ、１０人中９人に書籍からの栞の脱落及び移動が見られないという結果が得られた。
【００１７】
（比較例２）
切り込み線の両端部を中心とする円形の小穴部分（７）を設けたこと、及び、該円形の半径を１．０ｍｍにしたこと以外は、実施例１と同一にして試験した。作製した栞（Ｃ）を図３に示した。その結果、１０人中４人に紙片の破損が見られ、かつ、１０人中８人に書籍からの栞の脱落及び移動が見られないという結果が得られた。
【００１８】
実施例１は本考案の栞である。書籍への使用による紙片の破損は全く見られず、また、書籍からの栞の脱落及び移動が多少見られたが、従来品とほぼ同等の効果を得ることができた。一方、比較例１及び２は、特許文献１及び２に記載された従来の栞を使用したものである。切り込み線の両端部に小穴部分のない比較例１の栞では、栞の脱落及び移動は殆ど見られなかったが、紙片が破損する確率が非常に高かった。また、切り込み線の両末端部に円形の小穴部分を有する比較例２の栞では、比較例１と同様に栞の脱落及び移動は殆ど見られなかったが、紙片が破損する確率が非常に高かった。
【産業上の利用可能性】
【００１９】
本考案の栞は、使用に際して、栞により、書籍及び書類等の紙片が切れる等の破損を生ずることがなく、かつ、栞が、書籍及び書類等の紙片に沿って移動して書籍から脱落することがない。従って、書籍及び書類等に使用する簡便な栞としての利用が大いに期待される。
【符号の説明】
【００２０】
１  舌部
２  舌部以外の部分
３  切り込み線
４  略扇形の小穴部分
５  切り込み線の端部
６  切り込み線の両端部を結ぶ直線
７  円形の小穴部分
Ａ  本発明の栞
Ｂ  比較例１の栞
Ｃ  比較例２の栞
【図１】
0003165436.tif 000003
【図２】
0003165436.tif 000004
【図３】
0003165436.tif 000005